(57)【要約】【課題】ワイヤと巻き取りプーリを含む昇降機構を備え、且つ巻き取りプーリ上でのワイヤの巻き取り間隔を簡便な方法で一定に保持可能な用紙収納装置を提供する。【解決手段】巻き取りプーリ１５ａは、円筒状の巻き取り部２０と、巻き取り部２０の両端に設けられた鍔状のガイド部２１ａ、２１ｂから成る。巻き取り部２０はテーパ状に形成されており、図３（ａ）のように巻き取り部２０の中間位置からワイヤ１３の巻き取りを開始すると、ワイヤ１３に作用する張力Ｐにより巻き取りプーリ１５ａにトルク（負荷）が掛かる。ワイヤ１３は巻き取りプーリ１５ａに掛かるトルクが最小となるように巻き取り部２０の小径側（ガイド部２１ｂ側）へと摺動するため、図３（ｂ）のように小径側からワイヤ１３を巻き始めると、ワイヤ１３は既に巻き取られたワイヤに沿って順次整列して巻き取られる。【選択図】図３
2007261728.tif 000002
【特許請求の範囲】
【請求項１】
用紙を収納する用紙収納部と、該用紙収納部内に上下に昇降可能に配置される昇降板と、該昇降板を張架する複数のワイヤと、該ワイヤの一端が固定される円筒状の巻き取り部及び該巻き取り部の両端に設けられた鍔状のガイド部から成る複数の巻き取りプーリと、該巻き取りプーリを回転駆動する駆動手段と、を備え、
前記ワイヤを所定量巻き取る又は送り出すことにより前記昇降板を所定位置まで昇降させる用紙収納装置において、
前記巻き取りプーリへの前記ワイヤの巻き取り時に、前記ワイヤに掛かる張力の一部を用いて前記ワイヤを前記巻き取り部に沿って一定方向に摺動させることを特徴とする用紙収納装置。
【請求項２】
前記巻き取り部が、テーパ形状であることを特徴とする請求項１に記載の用紙収納装置。
【請求項３】
前記巻き取り部の表面と前記巻き取りプーリの回転軸とのなす角度が５°以上２０°以下であることを特徴とする請求項２に記載の用紙収納装置。
【請求項４】
前記ワイヤに掛かる張力方向と前記巻き取りプーリの回転軸とのなす角度が直角よりも小さい所定角度であることを特徴とする請求項１に記載の用紙収納装置。
【請求項５】
前記巻き取りプーリに連結される直前の前記ワイヤの保持位置を前記巻き取りプーリの回転軸方向に所定量ずらしたことを特徴とする請求項４に記載の用紙収納装置。
【請求項６】
前記巻き取りプーリの回転軸を所定量傾斜させたことを特徴とする請求項４に記載の用紙収納装置。
【請求項７】
前記ワイヤに掛かる張力方向と前記巻き取りプーリの回転軸とのなす角度が７０°以上８５°以下であることを特徴とする請求項４乃至請求項６のいずれかに記載の用紙収納装置。
【請求項８】
前記ワイヤの摺動方向に設けられる前記ガイド部の外周縁内側には、前記ワイヤに掛かる張力方向と略平行な傾斜面が形成されることを特徴とする請求項４乃至請求項７のいずれかに記載の用紙収納装置。
【発明の詳細な説明】
【技術分野】
【０００１】
本発明は、用紙を収納するとともに複写機やプリンタ、ファクシミリ等の画像形成装置に給紙を行う用紙収納装置に関し、特にワイヤと巻き取りプーリにより昇降板を円滑に且つ精度良く昇降させる方法に関する。
【背景技術】
【０００２】
例えば１台の画像形成装置を多数のユーザで共用することにより、画像形成装置１台当たりの用紙消費量が増大することとなる。そこで、収納可能な用紙枚数をより増加させた大容量の用紙収納装置を搭載した画像形成装置が開発されている。このような大容量の用紙収納装置では、補給される用紙が数千枚単位となるため、ユーザは用紙補給時に複数回に分けて用紙収納カセット（用紙収納部）内に用紙を補給することとなる。
【０００３】
図６は従来の大容量の用紙収納装置の平面図であり、図７は用紙収納装置の側面断面図（図６のＡＡ′断面）である。用紙収納装置１００は、数千枚単位の用紙の収納が可能な大容量タイプであり、用紙収納カセット１の上面から用紙の補給が行われる。２は用紙収納カセット１内を上下に昇降可能な昇降板である。昇降板２の駆動は昇降装置（図示せず）により行われる。用紙収納装置１００は、図７の左側に隣接する画像形成装置（図示せず）と連結されており、画像形成が開始されると、用紙収納カセット１内の用紙３が給紙部４から画像形成装置内に順次給紙される。給紙部４による用紙３の給紙タイミングは、画像形成装置側の制御部から送信される制御信号により制御される。
【０００４】
用紙収納カセット１の底面には、用紙の幅方向の位置決めを行う一対の幅規制部材５ａ、５ｂ、及び用紙の後端を揃える後端規制部材６が昇降板２のガイド穴２ａ、２ｂ、及び２ｃを貫通するように立設されている。昇降板２にはガイド穴２ａ〜２ｃ以外にも複数のガイド穴（図示せず）が設けられており、いずれかのガイド穴を選択して幅規制部材５ａ、５ｂ、及び後端規制部材６を差し替えることにより、所定サイズの用紙を用紙収納カセット１内の所定位置に収納できるようになっている。
【０００５】
上述のような従来の大容量の給紙カセットにおいては、特許文献１、２に記載されているように、複数のワイヤ及びプーリから成る昇降装置を用いて昇降板を上下させるタイプのものが知られている。しかしながら、ワイヤを巻き取っているプーリ（以下、巻き取りプーリという）の巻き取り面が、ワイヤに掛かる張力の方向に対し垂直であると、ワイヤを一定間隔で巻き取ることが困難となり、設定された巻き取り幅で巻き取れずにワイヤ同士の乗り上がりが発生する。
【０００６】
これにより、プーリ一回転当たりのワイヤの巻き取り長さが各ワイヤで異なってしまい、昇降板の水平が保持できずに用紙の斜行（スキュー）や紙詰まり（ジャム）等の給紙不良の原因となる。かかる問題点を解決するため、特許文献１、２では、巻き取りプーリの巻き取り面にワイヤを案内する溝部を設ける方法が開示されている。
【０００７】
しかしながら、特許文献１、２の方法では、溝部の溝幅と異なる太さのワイヤを用いる場合に巻き取りプーリを兼用できないという問題点があった。また、巻き取りプーリの形状が複雑となるため、コストアップに繋がるという問題点もあった。
【特許文献１】特開平９−７１３３２号公報
【特許文献２】特許第３７０６６９０号
【発明の開示】
【発明が解決しようとする課題】
【０００８】
本発明は、上記問題点に鑑み、ワイヤと巻き取りプーリを含む昇降機構を備え、且つ巻き取りプーリ上でのワイヤの巻き取り間隔を簡便な方法で一定に保持可能な用紙収納装置を提供することを目的とする。
【課題を解決するための手段】
【０００９】
上記目的を達成するために本発明は、用紙を収納する用紙収納部と、該用紙収納部内に上下に昇降可能に配置される昇降板と、該昇降板を張架する複数のワイヤと、該ワイヤの一端が固定される円筒状の巻き取り部及び該巻き取り部の両端に設けられた鍔状のガイド部から成る複数の巻き取りプーリと、該巻き取りプーリを回転駆動する駆動手段と、を備え、前記ワイヤを所定量巻き取る又は送り出すことにより前記昇降板を所定位置まで昇降させる用紙収納装置において、前記巻き取りプーリへの前記ワイヤの巻き取り時に、前記ワイヤに掛かる張力の一部を用いて前記ワイヤを前記巻き取り部に沿って一定方向に摺動させることを特徴としている。
【００１０】
また本発明は、上記構成の用紙収納装置において、前記巻き取り部がテーパ形状であることを特徴としている。
【００１１】
また本発明は、上記構成の用紙収納装置において、前記巻き取り部の表面と前記巻き取りプーリの回転軸とのなす角度が５°以上２０°以下であることを特徴としている。
【００１２】
また本発明は、上記構成の用紙収納装置において、前記ワイヤに掛かる張力方向と前記巻き取りプーリの回転軸とのなす角度が直角よりも小さい所定角度であることを特徴としている。
【００１３】
また本発明は、上記構成の用紙収納装置において、前記巻き取りプーリに連結される直前の前記ワイヤの保持位置を前記巻き取りプーリの回転軸方向に所定量ずらしたことを特徴としている。
【００１４】
また本発明は、上記構成の用紙収納装置において、前記巻き取りプーリの回転軸を所定量傾斜させたことを特徴としている。
【００１５】
また本発明は、上記構成の用紙収納装置において、前記ワイヤに掛かる張力方向と前記巻き取りプーリの回転軸とのなす角度が７０°以上８５°以下であることを特徴としている。
【００１６】
また本発明は、上記構成の用紙収納装置において、前記ワイヤの摺動方向に設けられる前記ガイド部の外周縁内側には、前記ワイヤに掛かる張力方向と略平行な傾斜面が形成されることを特徴としている。
【発明の効果】
【００１７】
本発明の第１の構成によれば、ワイヤに外力を加えることなく既に巻き取られたワイヤに沿って順次整列して巻き取り可能となるため、ワイヤ同士の間隔がばらついてワイヤの上に乗り上げるおそれがなくなり、ワイヤの巻き取り長さを一定に保持して昇降板を水平状態に維持可能となる。また、巻き取り部の表面に溝を設ける必要がないため、巻き取りプーリの構成が簡素化するとともに、使用可能なワイヤの太さの自由度が大きくなる。
【００１８】
また、本発明の第２の構成によれば、上記第１の構成の用紙収納装置において、巻き取りプーリの巻き取り部をテーパ形状とすることにより、ワイヤに掛かる張力の一部を巻き取り部の大径側から小径側に向かってワイヤを摺動させる力として作用させることができる。
【００１９】
また、本発明の第３の構成によれば、上記第２の構成の用紙収納装置において、巻き取り部の表面と巻き取りプーリの回転軸とのなす角度を５°以上２０°以下とすることにより、既に巻き取られたワイヤへの乗り上げや巻き取り量の大幅な変動を発生させることなくワイヤを円滑に摺動させることができる。
【００２０】
また、本発明の第４の構成によれば、上記第１の構成の用紙収納装置において、ワイヤに掛かる張力方向と巻き取りプーリの回転軸とのなす角度を直角よりも小さい所定角度とすることにより、従来の巻き取りプーリを用いた場合にもワイヤに掛かる張力の一部を摺動力として利用することができる。
【００２１】
また、本発明の第５の構成によれば、上記第４の構成の用紙収納装置において、巻き取りプーリに連結される直前のワイヤの保持位置を巻き取りプーリの回転軸方向に所定量ずらすことにより、簡単な構成でワイヤの張力の一部を摺動力として利用できる。
【００２２】
また、本発明の第６の構成によれば、上記第４の構成の用紙収納装置において、巻き取りプーリの回転軸を所定量傾斜させることにより、簡単な構成でワイヤに掛かる張力の一部を摺動力として利用でき、ワイヤの張架スペースも削減可能となる。
【００２３】
また、本発明の第７の構成によれば、上記第４乃至第６のいずれかの構成の用紙収納装置において、ワイヤに掛かる張力方向と巻き取りプーリの回転軸とのなす角度を７０°以上８５°以下とすることにより、既に巻き取られたワイヤへの乗り上げやガイド部との摺擦を抑制しつつ、ワイヤを円滑に摺動させることができる。
【００２４】
また、本発明の第８の構成によれば、上記第４乃至第７のいずれかの構成の用紙収納装置において、ワイヤの摺動方向に設けられるガイド部の外周縁内側に、ワイヤに掛かる張力方向と略平行な傾斜面を形成することにより、ワイヤとガイド部との干渉を抑制してワイヤ或いはガイド部の摩耗を効果的に低減可能となる。
【発明を実施するための最良の形態】
【００２５】
以下に本発明の実施形態を図面を参照して説明する。図１は、本発明の用紙収納装置の構成を示す概略斜視図である。従来例の図６及び図７と共通する部分には同一の符号を付して説明を省略する。なお、図１では説明の便宜のため、給紙部４、幅規制部材５ａ、５ｂ、後端規制部材６等は記載を省略している。昇降板２は、側板１０ａ、１０ｂに設けられたガイド穴１１に沿って用紙収納カセット１内を上下に移動可能に配置されている。
【００２６】
各ガイド穴１１には昇降板２に固定された動滑車１２及び支持プーリ１７が摺動可能に嵌合し、動滑車１２には一端を固定されたワイヤ１３がＵ字状に掛け渡されている。ワイヤ１３の他端はガイド穴１１の上端付近で下向きに方向を変え、側板１０ａ、１０ｂに回転可能に支持される巻き取りプーリ１５ａ、１５ｂに固定されている。側板１０ａ側の巻き取りプーリ１５ａは、シャフト１８により側板１０ｂ側の巻き取りプーリ１５ｂと連結されている。シャフト１８にはギヤ及びモータ等から成る駆動手段（図示せず）が連結されており、巻き取りプーリ１５ａ、１５ｂを任意の方向に回転可能となっている。
【００２７】
そして、用紙収納装置１００から円滑且つ確実な給紙を行うため、用紙残量の減少に応じてワイヤ１３を巻き取る方向に巻き取りプーリ１５ａ、１５ｂを回転させ、昇降板２を徐々に上昇させることにより、用紙の最上部と給紙部４（図６参照）との位置関係を一定に保持する。一方、用紙が無くなった場合、或いは途中で用紙を追加する場合は、巻き取りプーリ１５ａ、１５ｂを逆回転させ、用紙補給作業に備えて昇降板２を用紙収納カセット１内の最下部まで下降させる。
【００２８】
なお、用紙収納カセット１内の用紙の最上部を検知する用紙位置検知手段（図示せず）を設けておき、用紙位置検知手段の検知結果に基づいて、作業者が用紙を補給する場合に用紙の最上部（カセット内に用紙がない場合は昇降板２）が補給作業に最適な高さに来るように昇降板２の下降を制御しても良い。用紙位置検知手段としては、物理センサや光センサ等の種々のセンサが用いられる。
【００２９】
図２は、用紙収納カセット内の昇降板の昇降機構を側面から見た概略図である。図２を用いて昇降板２の昇降機構について詳述する。なお、ここでは側板１０ａ側の構成について説明するが、側板１０ｂ側の構成も全く同様に説明される。同図に示すように、ワイヤ１３は巻き取りプーリ１５ａに所定量巻き付けられており、巻き取りプーリ１５ａから上方向に延びる一端は定滑車１４に掛け渡されて方向を変え、動滑車１２に掛け渡されて再度方向を変えた後、装置本体のワイヤ係止部１６に係止される。ここで、定滑車１４及び巻き取りプーリ１５ａは装置本体に固定されているが、動滑車１２は昇降板２と共に上下に往復移動する。
【００３０】
この構成において、図示しない駆動手段によってシャフト１８が矢印Ａ方向に回転駆動されると、ワイヤ１３は巻き取りプーリ１５ａに巻き取られる。このとき、動滑車１２はワイヤ１３の巻き取り速度に対して１／２の速度で矢印Ｂ方向に移動し、昇降板２も動滑車１２に追随して同一速度で上方向へ移動する。
【００３１】
また、シャフト１８が矢印Ａ′方向に回転駆動されると、ワイヤ１３が巻き取りプーリ１５ａから送り出され、動滑車１２はワイヤ１３の送り出し速度に対して１／２の速度で矢印Ｂ′方向に移動し、昇降板２も動滑車１２に追随して同一速度で下方向へ移動する。昇降板２は、動滑車１２及び支持プーリ１７の２点でガイド穴１１に嵌合しているため、矢印ＡＡ′方向の揺動が規制され、水平に保持された状態で上下移動可能となっている。
【００３２】
図３は、本発明の用紙収納装置における巻き取りプーリとワイヤとの関係を側面（回転軸と直交する方向）から見た図である。以下、巻き取りプーリ１５ａについてのみ説明するが、巻き取りプーリ１５ｂについても全く同様に説明される。巻き取りプーリ１５ａは、表面にワイヤ１３が巻き付けられる円筒状の巻き取り部２０と、巻き取り部２０の両端に設けられた鍔状のガイド部２１ａ、２１ｂから成り、巻き取り部２０を貫通するようにシャフト１８（図２参照）が固定されている。
【００３３】
本実施形態においては、図３に示すように巻き取り部２０をテーパ状に形成したことを特徴としている。この構成により、例えば図３（ａ）のように、巻き取り部２０の中間位置からワイヤ１３の巻き取りを開始すると、ワイヤ１３に作用する張力Ｐにより巻き取りプーリ１５ａにトルク（負荷）が掛かる。このトルクはワイヤ１３の巻き取り径が大きくなるほど大きくなるため、ワイヤ１３は巻き取りプーリ１５ａに掛かるトルクが最小となるように巻き取り部２０の小径側（ガイド部２１ｂ側）へと摺動する。その結果、ワイヤ１３は昇降板２が最も下方に下がるような、即ち、巻き取り部２０とワイヤ１３の接触長が最短となるような軌跡を描こうとする。
【００３４】
従って、図３（ｂ）のように小径側からワイヤ１３を巻き始めると、ワイヤ１３は既に巻き取られたワイヤに沿って順次整列して巻き取られるため、ワイヤ同士の間隔がばらついてワイヤの上に乗り上げるおそれがなくなり、ワイヤの巻き取り長さを一定に保持して昇降板２を水平状態に維持可能となる。また、巻き取り部２０の表面に溝を設ける必要がないため、巻き取りプーリ１５の構成が簡素化するとともに、使用可能なワイヤ１３の太さの自由度が大きくなる。
【００３５】
巻き取り部２０の表面と回転軸Ｏとのなす角度（以下、テーパ角度という）θ１については特に制限はないが、テーパ角度が大きくなるほどワイヤ１３の摺動が円滑になる反面、勾配が大きすぎると既に巻き取られたワイヤへの乗り上げが発生する。そのため、テーパ角度θ１は回転軸Ｏに対し５°以上２０°以下の範囲が好ましい。
【００３６】
図４は、巻き取りプーリの他の構成例を側面（回転軸と直交する方向）から見た図である。図３と共通する部分には同一の符号を付して説明を省略する。図４（ａ）に示すように、巻き取り部２０は表面が回転軸Ｏに対し平行な円筒形であるが、巻き取りプーリ１５ａに連結される直前のワイヤ１３の保持位置を巻き取り部２０の外側（ガイド部２１ｂ側）とし、ワイヤ１３に掛かる張力方向と回転軸Ｏとのなす角度θ２が直角よりも小さい所定角度となるように構成されている。
【００３７】
これにより、ワイヤ１３に掛かる張力Ｐは、巻き取りプーリ１５ａの回転軸Ｏに垂直なベクトルＰ１と、回転軸Ｏに平行なベクトルＰ２とに分解され、ベクトルＰ２は、ガイド部２１ａ側からガイド部２１ｂ側に向かってワイヤ１３を摺動させる力として作用する。従って、ワイヤ１３をガイド部２１ｂ側から巻き始めると、図４（ｂ）のようにワイヤ１３は既に巻き取られたワイヤに沿って順次整列して巻き取られる。
【００３８】
また、ワイヤ１３の保持位置がガイド部２１ｂの外側にある場合、ワイヤ１３を巻き取り又は送り出す際にガイド部２１ｂの外周縁内側と干渉し、ワイヤ１３或いは巻き取りプーリ１５が摩耗するおそれがある。そこで、ガイド部２１ｂの外周縁内側に傾斜面２２を設け、ワイヤ１３及びガイド部２１ｂの摩耗を防止している。このとき、傾斜面２２をワイヤ１３に掛かる張力方向と略平行にすれば、ワイヤ１３とガイド部２１ｂとの干渉を最も効果的に低減可能となる。
【００３９】
また、ワイヤ１３に掛かる張力方向と回転軸Ｏとのなす角度θ２についても特に制限はないが、θ２が鋭角になるほどワイヤ１３の摺動が円滑になる反面、既に巻き取られたワイヤへの乗り上げや、ガイド部２１ｂとの摩擦が発生し易くなる。そのため、θ２は回転軸Ｏに対し７０°以上８５°以下の範囲が好ましい。
【００４０】
なお、図４ではワイヤ１３の保持位置をガイド部２１ｂ側にずらしてワイヤ１３に掛かる張力方向と回転軸Ｏとのなす角度θ２を調整したが、巻き取りプーリ１５ａの回転軸Ｏをワイヤ１３に掛かる張力方向に対し所定量傾斜させる構成としても良い。図５は、巻き取りプーリ１５ａの回転軸Ｏを傾斜させた構成例を側面（回転軸と直交する方向）から見た図である。
【００４１】
この構成においても、図５（ａ）に示すように、ワイヤ１３に掛かる張力Ｐの回転軸Ｏに平行な分力であるベクトルＰ２が、ガイド部２１ｂ側に向かってワイヤ１３を摺動させる力として作用するため、図５（ｂ）のように、ワイヤ１３は既に巻き取られたワイヤに沿って順次整列して巻き取られる。さらに、ワイヤ１３の保持位置を外側にずらす必要がないため、図４の構成に比べワイヤ１３の張架スペースを少なくできる。なお、角度θ２の好ましい範囲、或いは傾斜面２２の傾き等、他の部分の構成は図４と全く同様であるため説明は省略する。
【００４２】
その他本発明は、上記実施形態に限定されず、本発明の趣旨を逸脱しない範囲で種々の変更が可能である。例えば図１及び図２に示した昇降板２の昇降機構は一例に過ぎず、ワイヤ及び巻き取りプーリを３組以上用いても良いし、昇降板２の水平性を容易に維持できるように、左右の側板１０ａ、１０ｂにそれぞれ二箇所以上のガイド穴１１を設けても良い。また、上記実施形態では動滑車１２を用いてモータ負荷を低減しているが、動滑車１２を設けずにワイヤ１３の先端を昇降板２に直接固定しても良い。
【００４３】
また、巻き取りプーリ１５ａ、１５ｂの巻き取り部２０及びガイド部２１ａ、２１ｂの形状や大きさについても、使用するワイヤ１３の太さ及び最大巻き取り量等に応じて適宜設定することができる。例えばワイヤ１３をガイド部２１ａ側から巻き始める場合、図３の構成では巻き取り部２０をガイド部２１ｂ側から２１ａ側に向かうテーパ形状とすれば良く、図４及び図５の構成ではワイヤ１３或いは回転軸Ｏをそれぞれ逆方向に傾斜させれば良い。
【産業上の利用可能性】
【００４４】
本発明は、用紙を収納する用紙収納部と、該用紙収納部内に上下に昇降可能に配置される昇降板と、該昇降板を張架する複数のワイヤと、該ワイヤの一端が固定される円筒状の巻き取り部及び該巻き取り部の両端に設けられた鍔状のガイド部から成る複数の巻き取りプーリと、該巻き取りプーリを回転駆動する駆動手段と、を備え、ワイヤを所定量巻き取る又は送り出すことにより昇降板を所定位置まで昇降させる用紙収納装置において、巻き取りプーリへのワイヤの巻き取り時に、ワイヤに掛かる張力の一部を用いてワイヤを巻き取り部に沿って一定方向に摺動させる。
【００４５】
これにより、ワイヤに外力を加えることなく既に巻き取られたワイヤに沿って整列して巻き取り可能となるため、ワイヤの巻き取り長さを一定に保持して昇降板を水平状態に維持可能な用紙収納装置を簡便且つ低コストで提供することができる。また、巻き取りプーリの構成が簡素化するとともに、使用可能なワイヤの太さの自由度も大きくなる。
【００４６】
また、巻き取りプーリの巻き取り部をテーパ形状とした場合、ワイヤの張力の一部を巻き取り部の大径側から小径側に向かってワイヤを摺動させる力として利用できる。このとき、巻き取り部の表面と巻き取りプーリの回転軸とのなす角度を５°以上２０°以下とすれば、既に巻き取られたワイヤへの乗り上げを抑制しつつ、ワイヤを円滑に摺動可能となる。
【００４７】
また、ワイヤの保持位置を巻き取りプーリの回転軸方向に所定量ずらすか、或いは回転軸を所定量傾斜させて、ワイヤの張力方向と回転軸とのなす角度が直角よりも小さい所定角度とした場合、従来の巻き取りプーリを用いてワイヤに掛かる張力の一部を摺動力として利用することができる。
【００４８】
このとき、ワイヤに掛かる張力方向と巻き取りプーリの回転軸とのなす角度を７０°以上８５°以下とすれば、既に巻き取られたワイヤへの乗り上げやガイド部との摺擦を抑制し、且つワイヤを円滑に摺動させることができる。さらに、ワイヤの摺動方向に設けられるガイド部の外周縁内側に、ワイヤに掛かる張力方向と略平行な傾斜面を形成しておけば、ワイヤとガイド部との干渉を抑制してワイヤ或いはガイド部の摩耗を一層効果的に低減可能な耐久性に優れた用紙収納装置となる。
【図面の簡単な説明】
【００４９】
【図１】は、本発明の用紙収納装置の構成を示す概略斜視図である。
【図２】は、本発明の用紙収納装置における昇降板の昇降機構を側面から見た概略図である。
【図３】は、本発明の用紙収納装置における巻き取りプーリとワイヤとの関係を側面（回転軸と直交する方向）から見た図である。
【図４】は、本発明の用紙収納装置における巻き取りプーリの他の構成例を側面（回転軸と直交する方向）から見た図である。
【図５】は、本発明の用紙収納装置における巻き取りプーリの他の構成例を側面（回転軸と直交する方向）から見た図である。
【図６】は、従来の大容量タイプの用紙収納装置の平面図である。
【図７】は、従来の大容量タイプの用紙収納装置の側面断面図である。
【符号の説明】
【００５０】
１              用紙収納カセット（用紙収納部）
２              昇降板
１０ａ、１０ｂ  側板
１１            ガイド穴
１２            動滑車
１３            ワイヤ
１４            定滑車
１５ａ、１５ｂ  巻き取りプーリ
１７            支持プーリ
２０            巻き取り部
２１ａ、２１ｂ  ガイド部
２２            傾斜面
１００          用紙収納装置
【図１】
2007261728.tif 000003
【図２】
2007261728.tif 000004
【図３】
2007261728.tif 000005
【図４】
2007261728.tif 000006
【図５】
2007261728.tif 000007
【図６】
2007261728.tif 000008
【図７】
2007261728.tif 000009